(57)【特許請求の範囲】
【請求項１】
筐体に各種制御を行なうコマンド信号を形成する赤外線を通過させる窓部が構成され、リモートコマンダによって各種操作が可能とされている電子機器において、
前記筐体のスクリーンの周囲を縁取る枠部に取付けられ、少なくとも表示されている英数文字の閉じられた空白部分が所定の赤外線透過率を有する素材によって形成される窓部として構成されているロゴプレートと、
前記枠部の少なくとも前記ロゴプレートの窓部の位置に対応して設けられた透孔と、
前記ロゴプレートの窓部の直後に配置され前記コマンド信号を形成する赤外線を入力する赤外線受光素子とを
具備したことを特徴とする電子機器。
【発明の詳細な説明】
【０００１】
【産業上の利用分野】
本発明は、筐体にリモートコマンダから供給されるコマンド信号が入力される受光窓が構成されている電子機器に関するものである。
【０００２】
【従来の技術】
最近では、高品位の映像とダイナミックレンジの広い迫力のある音声が収録されているＡＶソフト（例えば音楽、映画等）が増えてきている。ユーザはこのようなＡＶソフトを家庭で再生することにより、いわゆるホームシアターとして音楽や映画を鑑賞することができるようになっている。特に、大画面のプロジェクションテレビや高出力のスピーカを用いることにより、映像、音声の一体感が増してかなりの臨場感が得られるようになる。
【０００３】
図６は、このようなホームシアターのＡＶシステムに用いられる、例えばリアプロジェクションテレビの外観を示す図である。
この図で２０はプロジェクションテレビ全体を示す。２２プロジェクションテレビを構成する筐体、２３はレンチキューラーレンズ、フレネルレンズ等からなるスクリーン、２４はスクリーン２３の周囲を縁取る枠部、２５は筐体２２の前面に配置される、映像、音声の入／出力端子等を隠蔽する前面扉を示す。
２６は筐体２２の前面に構成されている操作部を示す。２７は操作部２６において、例えば音量、チャンネルのアップ／ダウン等を行う各種操作子が配置されている操作子群、２８は図示されていないリモートコマンダから供給される赤外線のコマンド信号が入力される受光窓を示す。２９は筐体２２の下方に位置しスピーカが配置されているスピーカ部を示す。
【０００４】
ところで、図６に示したようなプロジェクションテレビ２０を用いたホームシアターが普及してくるにつれて、ホームシアターを構成するＡＶシステムをユーザが独自にカスタマイズして部屋に配置することが考えられている。
例えば、上記したプロジェクションテレビ２０を部屋の壁に埋め込むように配置し、壁からは表示部分となるスクリーン２３及び枠部２４のみが現れるようしてなされることとなる。
【０００５】
図７はこのようなカスタマイズによってなプロジェクションテレビ２０の壁から現れる部分を示す図であり、実線で示されている一部分のみが壁から現れ、破線で示されている筐体２２のほとんどの部分、例えば操作部２６等のスクリーン２３、枠部２４以外の部分は壁に隠蔽されることとなる。
このために、部屋のインテリアとしては非常にシンプルなものとなり、スクリーン２３は、例えば映画館に配置されているスクリーンと同等に構成されることとなる。
【０００６】
【発明が解決しようとする課題】
ところが、スクリーン２３、枠部２４以外の部分を壁で隠蔽することによって、リモートコマンダから出力されたコマンド信号を入力する受光窓２８も隠蔽されることとなってしまい、上記コマンド信号を入力することが不可能となってしまう。
図８は図７に示したＣ−Ｃの断面を示す図である。この図でＷはスクリーン２３、枠部２４以外の部分を隠蔽している壁の一部分、３１は赤外線受光部、３２は赤外線受光部３１が実裝されているプリント基板、３３はプリント基板３２を保持している基板保持板、３４は基板保持板３３を固定するねじＮの支柱、３５は受光窓２８に入力されたコマンド信号を赤外線受光部３１に導く導光管、３６は導光管３５を保持する導光管ブラケットを示す。
【０００７】
この図に示されているように、受光窓２８は壁に隠蔽されているので矢印で示されているコマンド信号は壁Ｗに遮断されて、赤外線受光部３１に到達することができないこととなる。つまり、例えばチャンネル切替え音量調整等の各種操作を行うことができなくなってしまう。そこで、受光窓２８を枠部２４に設けることも考えられるが、このようにすると受光窓２８が目立ってしまい外観上好ましくないものとなってしまうという問題がある。
また、導光管３５を必要とすることから導光管ブラケット３６も必要となり、部品点数が増加することによって、製造工程数が増加するとともにコストアップとなってしまう。
【０００８】
【課題を解決するための手段】
本発明はこのような問題点を解決するためになされたもので、筐体に各種制御を行なうコマンド信号を形成する赤外線を通過させる窓部が構成され、リモートコマンダによって各種操作が可能とされている電子機器において、前記筐体のスクリーンの周囲を縁取る枠部に取付けられ、少なくとも表示されている英数文字の閉じられた空白部分が所定の赤外線透過率を有する素材によって形成される窓部として構成されているロゴプレートと、前記枠部の少なくとも前記ロゴプレートの窓部の位置に対応して設けられた透孔と、前記ロゴプレートの窓部の直後に配置され前記コマンド信号を形成する赤外線を入力する赤外線受光素子とを具備して電子機器を構成する。
【００１０】
【作用】
電子機器筐体の前面に施される文字／図形の空白、又は間に受光窓を構成することにより、その電子機器を例えば部屋の壁に埋め込んで使用した場合でも、外観上のデザイン性を損ねることなく、各種の操作を行うことができるようになる。
【００１１】
【実施例】
以下、本発明の電子機器の一実施例を説明する。
図１は、実施例としてホームシアターのＡＶシステムに用いられる、例えばリアプロジェクションテレビの外観を示す斜視図である。
この図で１はプロジェクションテレビ全体を示す。２はプロジェクションテレビを構成する筐体、３はレンチキューラーレンズ、フレネルレンズ等からなるスクリーン、４はスクリーン３の周囲を縁取る枠部、５は筐体２の前面に配置される、映像、音声の入／出力端子を隠蔽する前面扉を示す。
【００１２】
６は筐体２の前面に構成されている操作部を示す。７は操作部６において例えば音量、チャンネルのアップ／ダウン等を行う各種操作子が配置されている操作子群、８は枠部４に例えば貼り付け等によって取付けられ、例えばメーカーや商品名、型番等を表示する文字が記されているロゴプレート、９は図示されていないリモートコマンダから供給される、例えば赤外線のコマンド信号が入力される受光窓を示し、本実施例ではロゴプレート８の文字内の空白部分に形成される。１０は筐体２の下方に位置しスピーカが配置されているスピーカ部を示す。
【００１３】
図２は図１に示したロゴプレート８付近を拡大して示す図である。図示されているように、本実施例のロゴプレート８は例えば『ＳＯＮＹ』の４文字のアルファベットにより構成されている。そして、これら４文字の中から例えば左から２番目に記されている文字『Ｏ』内に受光窓９を形成するようにする。
このように、受光窓９をロゴプレート８の文字『Ｏ』内に形成することにより、筐体２のいずれかの部分に形成した場合よりも目立つことなくデザインを損ねることがないようになる。
【００１４】
したがって、ユーザ独自のカスタマイズによって、リアプロジェクションテレビ１をスクリーン３、枠部４のみが現れるように壁に埋め込んで配置した場合でも、受光窓９のみが目立つことなく、かつ、リモートコマンダから出力されるコマンド信号を入力することができるようになる。
なお、ロゴプレート８において受光窓９が形成される部分は、赤外線透過率８０％以上とされるＡＢＳ樹脂等によって形成することとする。
【００１５】
図３、図４はこの場合の断面を示す図であり、図３は図２に示したＡ−Ａの断面、図４は同じく図２に示したＢ−Ｂの断面を示している。つまり、これらの図はロゴプレート８の文字『Ｏ』を側面及び上方から示している。
【００１６】
これらの図で、この図でＷはスクリーン３、及び枠部４以外の各部分を隠蔽している壁、８ａはロゴプレート８の文字『ＳＯＮＹ』の表面に施されている化粧箔、１１は受光窓９の後段に配置され、該受光窓９を介してコマンド信号を入力する赤外線受光部を示す。この赤外線受光部１１で受光されたコマンド信号は復調されて、図示されていない制御部に供給され各種制御が行われることとなる。１２は赤外線受光部１１が実裝されているプリント基板、１３はプリント基板１２を保持して筐体２に固定する基板保持板、１４は基板保持板１３を筐体２に固定する固定ねじＮがねじ込まれる支柱を示す。
【００１７】
図示されているように、ロゴプレート８の文字『Ｏ』の中心の空白部分を利用して受光窓９を形成し、その後段に赤外線受光部１１を配置することによって従来と同様にリモートコマンダから出力されるコマンド信号を入力して、各種制御を行うことができるようになる。
そして、赤外線受光部１１を受光窓９の直後に配置することにより、従来例で示した導光管３５、及び導光管ブラケット３６を用いる必要がなくなり、部品点数の削減、コストダウンを実現することも可能である。
【００１８】
なお、本実施例ではロゴプレート８に形成された、文字『Ｏ』の空白部分に受光窓９を形成するように説明したが、文字『Ｎ』と『Ｙ』の間のスペースに受光窓９を形成することも可能である。つまり、文字／図形の空白部分や文字／図形間において所定面積のスペースがあれば、そのスペースがいずれの箇所であっても受光窓９を形成することが可能である。
【００１９】
また、受光窓９はコマンド信号を電子機器側から外部機器に供給するための発光窓として用いるようにしてもよい。この場合、発光窓の後段には赤外線等のコマンド信号を出力する発光手段が配置されることとなる。
さらに、本発明は図１に示したリアプリジェクタテレビ１以外でも、例えばテレビジョン受像機、レーザディスクプレーヤ、ミニディスクプレーヤ等、リモートコマンダによって操作することができる電子機器に適用することが可能である。
【００２０】
次に上記した『ＳＯＮＹ』以外の文字における表示窓１０のスペースの一例を示す。
図５（ａ）（ｂ）（ｃ）（ｄ）（ｅ）（ｆ）（ｇ）（ｈ）は、その他の文字の空白部分又は間に受光部１０を配置するスペースの一例を示す図である。これらの図で、ハッチングが施されているＳの部分は受光窓９を形成することが可能となるスペースを示している。
【００２１】
同図（ａ）に示されている『ＰＯＷＥＲ』は、例えば電源のインジケータ付近に記されている文字であり、文字『Ｐ』『Ｏ』『Ｒ』等の空白部分ににそれぞれスペースＳが形成される。
さらに、同図（ｂ）に示されている『ＰＲＯＧＲＡＭ  ＴＩＭＥＲ』は、タイマ予約中に点灯するインジケータ付近に記されている文字であり、例えば文字『Ｐ』『Ｒ』『Ｏ』『Ａ』『Ｅ』等の空白部分にそれぞれスペースＳが形成される。そしてこの場合、文字『Ｍ』と『Ｔ』の間、文字『Ｔ』と『Ｉ』の間にもスペースＳが形成されることとなる。
さらに、同図（ｃ）に示されている『ＳＴＡＮＤ  ＢＹ』はスタンバイ時に点灯するインジケータ付近に記されている文字であり、例えば文字『Ａ』『Ｄ』『Ｂ』等の空白部分、及び文字『Ｄ』と『Ｂ』の間にスペースＳが形成される。
【００２２】
同図（ｄ）（ｅ）はＢＳチューナ、ＣＳチューナが内蔵されているか否かを記すために表示されている文字『ＢＳ』『ＣＳ』、また同図（ｆ）（ｇ）は例えばミニディスク、レーザディスクプレーヤ等の機器に表示される文字『ＭＤ』『ＬＤ』であり、これらの各文字の空白部分にもスペースＳが形成される。
【００２３】
さらに、上記したアルファベット文字以外にも同図（ｈ）に示されているように数字表示する場合でも、各数字『２』『３』『５』『０』『６』『８』『９』の空白部分にスペースＳを形成することができる。また、表示文字は平仮名や片仮名等であってもよい。また、これらの図に示した文字、数字の書体は一般的なものであり、様々な書体の文字、数字であってもスペースＳを形成することが可能であれば、表示窓１０を形成することが可能である。
【００２４】
また、図示していないが文字、数字以外にも例えばメーカ等がデザインする独自のロゴやキャラクタ等の図形が表示されている場合でも、その図形にスペースＳを形成することが可能であれば受光窓９を形成することが可能である。
そして、複数のスペースＳを利用して複数の受光窓９を設けることにより、リモートコマンダから出力されるコマンド信号の受光範囲が広がり、リモートコマンダの操作性も向上するようになる。
【００２５】
なお、本実施例では例えばロゴプレート８として形成された文字の空白部分を利用して受光窓９を形成する例で説明したが、枠部４の表面に直接印刷された文字／図形の空白部分を利用してもよいし、同じく枠部４の表面に立体的に成型されている文字／図形の空白部分を利用して受光窓９を形成するようにしてもよい。
【００２６】
【発明の効果】
以上、説明したように本発明の電子機器は、リモートコマンダから供給される制御信号が入力される受光窓を、筐体前面に表示されている文字／図形内、及び／又は文字／図形間の空白部分に形成して構成されている。したがって、例えばテレビジョン受像機やプロジェクタ等に適用すると、ユーザのカスタマイズによって筐体の一部、すなわち表示部分及び該表示部分を縁取る枠部のみが現れるように壁に埋め込んで使用する場合でも、外観上のデザインを損ねることなくコマンド信号を受信することが可能となる。
また、受光窓の直後に例えば導光管、導光管ブラケット等を必要としないので、部品点数の削減によってコストダウンすることができるという利点もある。
【図面の簡単な説明】
【図１】本発明の電子機器の実施例であるリアプロジェクションテレビの外観斜視図である。
【図２】実施例のリアプロジェクションテレビのロゴプレート付近を拡大して示す図である。
【図３】図２に示すＡ−Ａの断面を示す図である。
【図４】図２に示すＢ−Ｂの断面を示す図である。
【図５】その他の文字の空白部分又は間に受光部を配置するスペースの一例を示す図である。
【図６】従来のリアプロジェクションテレビの外観斜視図を示す図である。
【図７】従来のリアプロジェクションテレビを壁に埋め込んで利用する場合に、壁から現れる部分を説明する図である。
【図８】図７に示すＣ−Ｃの断面を示す図である。
【符号の説明】
１  リアプロジェクションテレビ
２  筐体
３  スクリーン
４  枠部
５  前面扉
６  操作部
７  操作子群
８  ロゴプレート
９  受光窓
１１  赤外線受光部
【図１】
0003640418.tif 000002
【図２】
0003640418.tif 000003
【図３】
0003640418.tif 000004
【図４】
0003640418.tif 000005
【図５】
0003640418.tif 000006
【図６】
0003640418.tif 000007
【図７】
0003640418.tif 000008
【図８】
0003640418.tif 000009